(57)【要約】【課題】ＩＰ通信を利用して、画像形成装置で読み取られた画像を簡単に送信する。【解決手段】本発明の画像形成装置１０は、原稿の画像を読み取る画像読取部１７と、ユーザーにより操作される操作部１４と、ネットワークを通じてデータ通信を行う通信部１６と、ＩＰ通信機能に基づき、通信部１６によりデータ通信を行わせる制御部２１と、を備え、制御部２１は、ユーザーにより操作部が操作されて、ＩＰ通信機能に対してログインが行われると共に、画像読取部１７により読み取られた原稿の画像の送信が指示されると、ＩＰ通信機能に基づき、通信部１６により原稿の画像を送信させる。【選択図】図２
2018139370.tif 000002
【特許請求の範囲】
【請求項１】
原稿の画像を読み取る画像読取部と、
ユーザーにより操作される操作部と、
ネットワークを通じてデータ通信を行う通信部と、
予め定められたＩＰ通信機能に基づき、前記通信部によりデータ通信を行わせる制御部と、を備え、
前記制御部は、ユーザーにより前記操作部が操作されて、前記ＩＰ通信機能に対してログインが行われると共に、前記画像読取部により読み取られた前記原稿の画像の送信が指示されると、前記ＩＰ通信機能により、前記通信部により前記原稿の画像を送信させる画像形成装置。
【請求項２】
前記制御部は、前記ＩＰ通信機能に対するログインのために前記操作部の操作で入力されたユーザーの識別情報に対応付けて、前記ＩＰ通信機能による該ユーザーの通信履歴情報を記憶部に記憶させる請求項１に記載の画像形成装置。
【請求項３】
前記ユーザーの識別情報は、当該画像形成装置に対するログインのための該ユーザーの識別情報と同一である請求項２に記載の画像形成装置。
【請求項４】
ネットワークを通じて、データ通信を相互に行う画像形成装置及び情報処理装置を備える通信システムであって、
前記画像形成装置は、
原稿の画像を読み取る画像読取部と、
データ通信を行う第１通信部と、
前記情報処理装置からの前記画像の転送要求に応じて、この画像を前記第１通信部から前記情報処理装置へと送信する制御部と、を備え、
前記情報処理装置は、
ユーザーにより操作される操作部と、
ネットワークを通じてデータ通信を行う第２通信部と、
ユーザーにより前記操作部が操作されて、ＩＰ通信機能に対してログインが行われると共に、前記原稿の画像の送信が指示されると、前記画像の転送要求を前記第２通信部から前記画像形成装置に向けて送信させ、この画像の転送要求に対する応答として前記画像形成装置から送信されてきた前記画像が前記第２通信部で受信されると、前記ＩＰ通信機能に基づき、前記第２通信部により前記原稿の画像を送信させる制御部と、を備える通信システム。
【発明の詳細な説明】
【技術分野】
【０００１】
本発明は、ネットワークを通じて、画像を送信する画像形成装置及び通信システムに関し、特にＩＰ通信機能を利用した技術に関する。
【背景技術】
【０００２】
例えば、特許文献１では、任意のユーザーが画像形成装置に印刷を行わせたときに、ピアツーピア型ユーザー間コミュニケーションサービスを利用して、任意のユーザーから他のユーザーへと画像形成装置の動作データを送信し、他のユーザーが動作データに基づき画像形成装置に対して同一の印刷を要求することができるようにしている。
【０００３】
また、特許文献２では、同一の通信相手に対して、ＩＰ通信やファクシミリ通信など種々の通信方式の宛先を紐付けしておき、これらの宛先を用いて、同一の通信相手との間で種々の通信方式によるデータ通信を簡単な操作で行うことを可能にしている。
【先行技術文献】
【特許文献】
【０００４】
【特許文献１】特開２０１５−２０７１９２号公報
【特許文献２】特開２０１４−１２１０１７号公報
【発明の概要】
【発明が解決しようとする課題】
【０００５】
ところで、ＩＰ通信を利用して、画像形成装置からユーザーに対して画像を直接送信できれば、画像形成装置の利便性が向上する。
【０００６】
しかしながら、上記特許文献１、２では、そのようなＩＰ通信を利用した技術の記載がない。
【０００７】
また、従来は、画像形成装置の操作パネルを操作して、原稿の画像をスキャンさせ、画像データを画像形成装置からＰＣへと一旦送信し、この後にＰＣにおいて、画像データのファイルをＩＰ通信の操作画面上の所定位置にドラッグアンドドロップして、画像データの送信を指示していたため、ＩＰ通信により、画像形成装置で読み取られた画像を送信するまでの操作が煩雑であった。
【０００８】
本発明は、上記の事情に鑑みなされたものであり、ＩＰ通信を利用して、画像形成装置で読み取られた画像を簡単に送信できるようにすることを目的とする。
【課題を解決するための手段】
【０００９】
本発明の一局面にかかる画像形成装置は、原稿の画像を読み取る画像読取部と、ユーザーにより操作される操作部と、ネットワークを通じてデータ通信を行う通信部と、ＩＰ通信機能に基づき、前記通信部によりデータ通信を行わせる制御部と、を備え、前記制御部は、ユーザーにより前記操作部が操作されて、前記ＩＰ通信機能に対してログインが行われると共に、前記画像読取部により読み取られた前記原稿の画像の送信が指示されると、前記ＩＰ通信機能に基づき、前記通信部により前記原稿の画像を送信させるものである。
【００１０】
また、本発明の一局面にかかる通信システムは、ネットワークを通じて、データ通信を相互に行う画像形成装置及び情報処理装置を備える通信システムであって、前記画像形成装置は、原稿の画像を読み取る画像読取部と、データ通信を行う第１通信部と、前記情報処理装置からの前記画像の転送要求に応じて、この画像を前記第１通信部から前記情報処理装置へと送信する制御部と、を備え、前記情報処理装置は、ユーザーにより操作される操作部と、ネットワークを通じてデータ通信を行う第２通信部と、ユーザーにより前記操作部が操作されて、ＩＰ通信機能に対してログインが行われると共に、前記原稿の画像の送信が指示されると、前記画像の転送要求を前記第２通信部から前記画像形成装置に向けて送信させ、この画像の転送要求に対する応答として前記画像形成装置から送信されてきた前記画像が前記第２通信部で受信されると、前記ＩＰ通信機能に基づき、前記第２通信部により前記原稿の画像を送信させる制御部と、を備えるものである。
【発明の効果】
【００１１】
本発明によれば、ＩＰ通信を利用して、画像形成装置で読み取られた画像を簡単に送信できる。
【図面の簡単な説明】
【００１２】
【図１】本発明の一実施形態の通信システムにおける画像形成装置の外観及び情報処理装置の外観を示す斜視図である。
【図２】本実施形態の通信システムにおける画像形成装置の構成及び情報処理装置の構成を示すブロック図である。
【図３】本実施形態の通信システムにおける画像形成装置による処理手順を示すフローチャートである。
【図４】画像形成装置の操作部及び表示部を示す平面図である。
【図５】画像形成装置の表示部に表示されるＩＰ通信機能にログインするための画面を例示する図である。
【図６】画像形成装置の表示部に表示される画像データの送信を指示するための画面を例示する図である。
【図７】画像形成装置の表示部に表示されるＩＰ通信の履歴情報を選択するための画面を例示する図である。
【図８】画像形成装置の表示部に表示されるポップアップ画面を例示する図である。
【図９】本実施形態の通信システムにおける情報処理装置による処理手順を示すフローチャートである。
【発明を実施するための形態】
【００１３】
以下、本発明の実施形態にかかる画像形成装置及び通信システムについて図面を参照して説明する。
【００１４】
図１は、本発明の実施形態にかかる通信システムにおける画像形成装置の概観及び情報処理装置の外観を示す斜視図である。図２は、本実施形態にかかる通信システムにおける画像形成装置の構成及び情報処理装置の構成を示すブロック図である。
【００１５】
本実施形態の通信システムＳｙにおいて、画像形成装置１０は、制御ユニット１１と、表示部１２と、操作部１４と、タッチパネル１５と、通信部（第１通信部）１６と、画像読取部１７と、画像形成部１８と、記憶部１９とを備えている。これらの構成要素は、互いにバスを通じてデータ又は信号の送受信を可能とされている。
【００１６】
画像読取部１７は、原稿を光学的に読み取るスキャナーを有し、この原稿の画像を示す画像データを生成する。
【００１７】
画像形成部１８は、感光体ドラムの表面を均一帯電させ、感光体ドラムの表面を露光して、感光体ドラムの表面に静電潜像を形成し、感光体ドラムの表面の静電潜像をトナー像に現像して、感光体ドラムの表面のトナー像（画像）を記録紙に転写して定着させる。例えば、画像読取部１７で生成された画像データによって示される画像を記録紙に印刷する。
【００１８】
表示部１２は、液晶ディスプレイ（ＬＣＤ：Liquid Crystal Display）や有機ＥＬ（ＯＬＥＤ：Organic Light-Emitting Diode）ディスプレイなどから構成される。
【００１９】
表示部１２の画面には、タッチパネル１５が配置されている。タッチパネル１５は、所謂抵抗膜方式や静電容量方式などのタッチパネルであって、タッチパネル１５に対するユーザーの指などの接触（タッチ）をその接触位置とともに検知して、その接触位置の座標を示す検知信号を制御ユニット１１の後述する操作受付部２２などに出力する。従って、タッチパネル１５は、表示部１２の画面に対するユーザー操作が入力される操作部としての役割を果たす。
【００２０】
操作部１４は、例えば、メニューを呼び出すメニューキー、メニューを構成するＧＵＩにおけるフォーカスを移動させる矢印キー、メニューを構成するＧＵＩに対して確定操作を行う決定キー、スタートキーなどを備えている。
【００２１】
通信部１６は、通信モジュールを備える通信インターフェイスであり、ＬＡＮや公衆回線などからなるネットワークＮを通じて、データ通信を行う。
【００２２】
記憶部１９は、ＨＤＤ（Hard Disk Drive）などの大容量の記憶装置である。
【００２３】
制御ユニット１１は、プロセッサー、ＲＡＭ(Random Access Memory）、及びＲＯＭ（Read Only Memory）などから構成される。プロセッサーは、例えば、ＣＰＵ（Central Processing Unit）、ＭＰＵ、ＡＳＩＣである。この制御ユニット１１は、上記記憶部１９に記憶された制御プログラムが上記のプロセッサーで実行されることにより、制御部２１、操作受付部２２、表示制御部２３、及び通信制御部２４として機能する。なお、制御ユニット１１の上記の各構成は、上記制御プログラムに基づく動作によらず、それぞれハード回路により構成されてもよい。
【００２４】
制御部２１は、画像形成装置１０の全体的な動作制御を司る。
【００２５】
操作受付部２２は、タッチパネル１５から出力される検知信号に基づき、タッチパネル１５に対するユーザー操作を受け付ける機能を有する。また、操作受付部２２は、操作部１４のハードキーに対するユーザー操作を受け付ける機能を有する。
【００２６】
表示制御部２３は、表示部１２を制御して、画像形成処理に必要な設定項目の入力画面、あるいは情報の入力画面などを表示する。
【００２７】
通信制御部２４は、通信部１６による通信動作を制御する機能を有する。例えば、通信部１６は、通信制御部２４による制御のもと、ＬＡＮを通じて情報処理装置３０との間でデータを送受する。また、通信制御部２４がＩＰ通信機能（アプリケーションプログラム）を実行し、通信部１６が、ＩＰ通信機能に基づき、通信相手の端末装置との間でデータを送受する。
【００２８】
一方、本実施形態の通信システムＳｙにおいて、情報処理装置３０は、パーソナルコンピューターなどであって、制御ユニット３１と、表示部３２と、操作部３３と、通信部（第２通信部）３５とを備えている。これらの構成要素は、互いにバスを通じてデータ又は信号の送受信を可能とされている。
【００２９】
表示部３２は、液晶ディスプレイや有機ＥＬディスプレイなどから構成される。
【００３０】
操作部３３は、キーボードやポインティングデバイス等からなる。
【００３１】
通信部３５は、通信モジュールを備える通信インターフェイスであり、ＬＡＮや公衆回線などからなるネットワークＮを通じて、データ通信を行う。
【００３２】
記憶部３４は、ＨＤＤなどの大容量の記憶装置である。
【００３３】
制御ユニット３１は、プロセッサー、ＲＡＭ、及びＲＯＭ等から構成される。プロセッサーは、ＣＰＵ（Central Processing Unit）、ＭＣＵ、ＡＳＩＣ等である。制御ユニット３１は、上記記憶部３４に記憶された制御プログラムが上記のプロセッサーに実行されることにより、制御部４１、操作受付部４２、表示制御部４３、及び通信制御部４４として機能する。なお、制御ユニット３１の上記の各構成要素は、前述の制御プログラムに基づく動作によらず、それぞれハード回路により構成されてもよい。
【００３４】
制御部４１は、情報処理装置３０の全体的な動作制御を司る。
【００３５】
操作受付部４２は、操作部３３の操作に基づき、ユーザーにより入力されたユーザー操作を特定する。そして、操作受付部４２は、特定したユーザー操作を受け付け、当該ユーザー操作に対応する制御信号を制御部４１、表示制御部４３、及び通信制御部４４などに出力する。
【００３６】
表示制御部４３は、表示部３２を制御して、表示部３２の画面に各種のウィンドウ、情報処理に必要な設定項目、テキストなどを表示する。
【００３７】
通信制御部４４は、通信部３５の通信動作を制御する機能を有する。例えば、通信部３５は、通信制御部４４による制御のもと、ＬＡＮを通じて画像形成装置１０との間でデータを送受する。また、通信制御部４４がＩＰ通信機能（アプリケーションプログラム）を実行し、通信部３５が、ＩＰ通信機能に基づき、通信相手の端末装置との間でデータを送受する。
【００３８】
ここで、画像形成装置１０では、Ｐ２Ｐ技術を利用したインターネット電話サービス、又はソーシャルネットワークサービス等の技術を用いた通信機能を用いて、画像読取部１７により生成された画像データを通信相手の端末装置に送信する。本実施形態では、当該通信機能をＩＰ通信機能と称する。例えば、ＩＰ通信機能としては、周知のスカイプ（Ｓｋｙｐｅ）が適用される。このスカイプでは、ユーザーが識別情報（ＩＤやパスワードなど）を入力してログインすると、他のユーザーとの間でチャット、通話、画像データの送受などを行うことができる。画像形成装置１０では、記憶部１９に、上記ＩＰ通信機能のアプリケーションがインストールされている。
【００３９】
また、画像形成装置１０は、制御部２１による制御の下、ＩＰ通信機能に対してログイン可能な複数のユーザーを管理する機能を有しており、各ユーザー別に、ユーザーの識別情報に対応付けて該ユーザーによるＩＰ通信の履歴情報を記憶部１９に記憶している。
【００４０】
一方、情報処理装置３０では、ＬＡＮ等を通じて、画像データを画像形成装置１０から受信し、ＩＰ通信機能（アプリケーション）を用いて、その画像データを通信相手の端末装置に送信する。情報処理装置３０では、記憶部３４に、上記ＩＰ通信機能のアプリケーションがインストールされている。
【００４１】
次に、画像形成装置１０において、ＩＰ通信機能を用いて、画像データを通信相手の端末装置に送信したり、ユーザーの識別情報に対応付けて該ユーザーによるＩＰ通信の履歴情報を記憶したりするための処理手順を、図３に示すフローチャートに従って説明する。この実施形態では、情報処理装置３０は用いられず、画像形成装置１０により画像データ読取及び送信、ログイン処理が行われる。
【００４２】
まず、画像形成装置１０の表示制御部２３は、表示部１２の画面には、図５に示すような画像形成装置１０にログインするための画面Ｇ１を表示部１２に表示させる（ステップＳ１０１）。
【００４３】
この画面Ｇ１には、ユーザーの識別情報であるＩＤ及びパスワードを入力するための２つの入力欄７１、７２、ＯＫキー７３、及びキャンセルキー７４が表示されており、ユーザーが、操作部１４を操作して、ユーザーのＩＤ及びパスワードをそれぞれの入力欄７１、７２に入力し、ＯＫキー７３をタッチ操作すると、ユーザーのＩＤ及びパスワードが操作受付部２２で受け付けられる（ステップＳ１０２）。
【００４４】
制御部２１は、ユーザーのＩＤ及びパスワードを認証し、認証が成立すれば、ユーザーによる画像形成装置１０の機能へのログインを認め、画像形成装置１０の機能の利用を可能にする（ステップＳ１０３）。
【００４５】
このとき、表示制御部２３は、表示部１２に、図４に示すような、それぞれの機能に対応付けられた複数のタッチキー６１ａ〜６１ｈ等を有する表示画面を表示させる。この状態で、ユーザーがＩＰ通信機能に対応するタッチキー６１ｈをタッチ操作すると、タッチパネル１５によりタッチキー６１ｈに対するタッチ操作が検出されて、このタッチ操作が操作受付部２２で受け付けられ、制御部２１は、ＩＰ通信機能（アプリケーション）を起動させる（ステップＳ１０４）。
【００４６】
続いて、通信制御部２４は、Ｓ１０２で入力された当該ユーザーのＩＤ及びパスワードを、通信部１６からネットワークＮ上のＩＰ通信用の管理サーバー（図示せず）に送信させる。ＩＰ通信用の管理サーバーでは、画像形成装置１０から送信されたユーザーのＩＤ及びパスワードを受信して認証すると、認証応答を画像形成装置１０に送信する。そして、画像形成装置１０では、その認証応答が通信部１６で受信されてＩＰ通信機能に入力されると、ユーザーによるＩＰ通信機能へのログインが成立して、ＩＰ通信機能の利用が可能となる（ステップＳ１０５）。
【００４７】
このように本実施形態では、ユーザーのＩＤ及びパスワードは、ＩＰ通信機能及び画像形成装置１０の機能の間で共通化されており、ユーザーは、自己のＩＤ及びパスワードを入力して、画像形成装置１０の機能及びＩＰ通信機能のいずれに対しても同時にログイン可能とされている。
【００４８】
表示制御部２３は、ユーザーのログインが成立すると、図６に示すような画像データの送信を指示するための画面Ｇ２を表示部１２に表示させる（ステップＳ１０６）。この画面Ｇ２には、ＩＰ通信機能による複数の通信相手に対応するそれぞれの通信相手キー７５ａ〜７５ｄ、送信キー７６、及びキャンセルキー７７が表示されている。
【００４９】
ＩＰ通信機能は、上記インストールにより、画像形成装置１０の機能に予め組み込まれているため、ＩＰ通信機能と画像形成装置１０の機能の連携が可能であって、画像形成装置１０の機能からＩＰ通信機能を実行させることができる。本実施形態では、ＩＰ通信機能に基づき、画像読取部１７により生成された画像データを他のユーザー宛（通信相手）に送信することが可能となっており、ユーザーは、図６の画面Ｇ２を操作することにより、通信相手を選択して、この選択した通信相手に対する画像データの送信を指示可能とされている。
【００５０】
例えば、ユーザーが、原稿を画像読取部１７に予めセットしておき、この後に図６の画面Ｇ２における各通信相手キー７５ａ〜７５ｄのいずれかをタッチ操作して、画像データの通信相手を選択し（ステップＳ１０７）、引き続いて送信キー７６をタッチ操作すると（ステップＳ１０８）、タッチ操作された通信相手キーに対応する通信相手及び画像データの送信が操作受付部２２で受け付けられる。制御部２１は、画像データの送信が受け付けられると、画像読取部１７を起動して、画像読取部１７により原稿の画像データを生成させる。
【００５１】
また、通信制御部２４は、その通信相手が受け付けられると、この通信相手のＩＤ等の当該通信相手へのデータ送信を成立させるために必要な情報を記憶部１９から検索し、この検索した通信相手のＩＤ等を用いて、ＩＰ通信機能によりその画像データを通信部１６からネットワークＮを通じて通信相手へと送信する（ステップＳ１０９）。記憶部１９には、各通信相手キー７５ａ〜７５ｄに対応付けて、ＩＰ通信に必要な各通信相手のＩＤ等が予め記憶されており、通信制御部２４が、タッチ操作された通信相手キーに対応する通信相手のＩＤ等を記憶部１９から検索可能とされている。
【００５２】
なお、ユーザーにより、複数の通信相手キーがタッチ操作され、複数の通信相手を選択してから、送信キー７６がタッチ操作され、操作受付部２２により、これらが受け付けられると、通信制御部２４は、ＩＰ通信機能により、画像データを、通信部１６からネットワークＮを通じてそれぞれの通信相手へと送信する。
【００５３】
こうしてＩＰ通信による画像データの送信が終了すると、制御部２１は、ログインしたユーザーのＩＤ等に対応するＩＰ通信の履歴情報を記憶部１９から検索して、この画像データの送信を該履歴情報に加え、この履歴情報を更新する（ステップＳ１１０）。同時に、クラウドにおいて、上記ログインしたユーザーのＩＤ等に対応するＩＰ通信の履歴情報が更新される。
【００５４】
また、通信制御部２４は、ユーザーのＩＤ等を用いて、該ユーザーによるＩＰ通信の履歴情報及び該ユーザーに関連する他のユーザーによるＩＰ通信の履歴情報を、通信部１６を通じてクラウドから受信し、この受信した履歴情報に基づき、記憶部１９に記憶されている該ユーザーのＩＤ等に対応するＩＰ通信の履歴情報及び該他のユーザーのＩＤ等に対応するＩＰ通信の履歴情報を更新する（ステップＳ１１１）。これにより、複数のユーザー別に、ユーザーによるチャット、通話、画像データの送受などの全ての履歴情報が更新されて保存されることとなる。
【００５５】
ここで、ＩＰ通信の履歴情報を更新して保存するには、この履歴情報の更新及び保存を予め設定しておく必要がある。例えば、操作部１４の操作やタッチパネル１５のタッチ操作により、ＩＰ通信の履歴情報の保存が指示されて、この指示が操作受付部２２で受け付けられると、表示制御部２３が、例えば図７に示すような画面Ｇ３を表示部１２に表示させる。そして、画面Ｇ３における詳細キー８１がタッチ操作されて、この詳細キー８１のタッチ操作が操作受付部２２で受け付けられると、表示制御部２３が、図８に示すようなポップアップ画面Ｇ４を表示部１２に表示させる。更に、ポップアップ画面Ｇ４における「する」の箇所８４がタッチ操作されて、この「する」の箇所８４のタッチ操作が操作受付部２２で受け付けられると、制御部２１がＩＰ通信の履歴情報の更新及び保存の実行を設定する。
【００５６】
また、図７の画面Ｇ３には、複数のユーザーの履歴情報に対応するそれぞれのユーザーキー８２ａ〜８２ｄ、及び開くキー８３が表示されている。ユーザーが、各ユーザーキー８２ａ〜８２ｄのいずれかをタッチ操作し、引き続いて開くキー８３をタッチ操作すると、タッチ操作されたユーザーキーに対応するユーザーの履歴情報の表示が操作受付部２２で受け付けられる。表示制御部２３は、タッチ操作されたユーザーキーに対応するユーザーの履歴情報を記憶部１９から検索して、このユーザーの履歴情報を表示部１２の画面に表示する。従って、各ユーザーの履歴情報を選択的に表示部１２の画面に表示させることができる。
【００５７】
このように画像形成装置１０では、簡単な操作により、ＩＰ通信機能を用いて、画像読取部１７により生成された画像データを通信相手の端末装置に送信することができる。
【００５８】
また、ＩＰ通信機能に対してログイン可能な複数のユーザー別に、ユーザーの識別情報に対応付けて該ユーザーによるＩＰ通信の履歴情報を生成して記憶部１９に記憶し、このＩＰ通信の履歴情報を表示部１２に表示させることができる。これらのユーザーの通信履歴情報は、ＩＰ通信の利用状況を把握するために用いられる。
【００５９】
次に、情報処理装置３０において、ＬＡＮ等を通じて、画像データを画像形成装置１０から受信し、ＩＰ通信機能を用いて、その画像データを通信相手の端末装置に送信するための処理手順を、図９に示すフローチャートに従って説明する。
【００６０】
まず、情報処理装置３０では、ユーザーが操作部３３を操作して、ＩＰ通信機能の起動を指示すると、この操作が操作受付部４２で受け付けられ、制御部４１が、ＩＰ通信機能を起動させ（ステップＳ２０１）、表示制御部４３が、図５に示すような画面Ｇ１と同様の、ＩＰ通信機能にログインするための画面Ｇ１を表示部３２に表示させる（ステップＳ２０２）。
【００６１】
そして、ユーザーが、操作部３３を操作して、ユーザーのＩＤ及びパスワードをそれぞれの入力欄７１、７２に入力し、ＯＫキー７３をクリック操作すると、ユーザーのＩＤ及びパスワードが操作受付部４２で受け付けられ（ステップＳ２０３）、通信制御部４４が、ユーザーのＩＤ及びパスワードを、通信部３５からネットワークＮ上のＩＰ通信用の管理サーバー及び通信システムＳｙの管理サーバーへと送信させる。そして、情報処理装置３０では、それらの管理サーバーによるそれぞれの認証応答が通信部３５で受信されると、ユーザーによるＩＰ通信機能へのログインが成立して、当該機能の利用が可能となる（ステップＳ２０４）。
【００６２】
表示制御部４３は、ユーザーのログインが成立すると、図６に示すような画面Ｇ２と同様の、画像データを送信するための画面Ｇ２を表示部３２に表示させる（ステップＳ２０５）。
【００６３】
ここで、ユーザーは、原稿を画像読取部１７に予めセットしておき、この後に図６の画面Ｇ２における各通信相手キー７５ａ〜７５ｄのいずれかをクリック操作して、画像データの通信相手を選択し（ステップＳ２０６）、引き続いて送信キー７６をクリック操作する（ステップＳ２０７）。これにより、各通信相手キー７５ａ〜７５ｄのいずれかに対応する通信相手及び画像データの送信が操作受付部４２で受け付けられる。
【００６４】
そして、通信制御部４４は、ＩＰ通信機能による画像データの送信が受け付けられると、画像データを取得するために、Ｓ２０３で受け付けられたユーザーＩＤ、パスワード、及び画像形成装置１０へのログイン要求と、送信対象とする画像データの送信要求とを、通信部３５からＬＡＮ等を通じて画像形成装置１０に送信する（ステップＳ２０８）。
【００６５】
画像形成装置１０では、画像データの送信要求及びログイン要求が通信部１６で受信されると、制御部２１が、受信したユーザーＩＤ及びパスワードに基づいてログイン認証を行い、当該ログインを認める場合には、画像読取部１７を起動して、画像読取部１７により原稿の画像データを生成させる。通信制御部２４は、当該生成された画像データを通信部１６から、ＬＡＮ等を通じて、当該送信要求を送ってきた情報処理装置３０に向けて送信させる。
【００６６】
情報処理装置３０では、通信制御部４４は、画像形成装置１０から送信されてきた画像データが通信部３５で受信されると（ステップＳ２０９）、ＩＰ通信により、ステップＳ２０７で選択された通信相手に対して、当該受信された画像データを、通信部３５からネットワークＮを通じて送信させる（ステップＳ２１０）。
【００６７】
なお、ユーザーにより、複数の通信相手キーがタッチ操作され、複数の通信相手を選択してから、送信キー７６がタッチ操作され、操作受付部４２により、これらが受け付けられると、通信制御部４４は、ＩＰ通信機能により、画像データを、通信部３５からネットワークＮを通じてそれぞれの通信相手へと送信する。
【００６８】
また、画像形成装置１０では、上記のようにして情報処理装置３０への画像データの送信が終了すると、画像形成装置１０では、上記受信したユーザーＩＤが示すユーザー毎に、記憶部１９に、情報処理装置３０への画像データの送信履歴情報を記憶させる。
【００６９】
上記実施形態によれば、このように情報処理装置３０においても、簡単な操作により、画像形成装置１０から画像データを取り込み、ＩＰ通信機能を用いて、その画像データを通信相手の端末装置に送信することができる。
【００７０】
なお、図１乃至図９を用いて説明した上記実施形態の構成及び処理は、本発明の一例に過ぎず、本発明を当該構成及び処理に限定する趣旨ではない。
【００７１】
例えば、上記各実施形態では、送信キー７６が操作されると、画像読取部１７により画像データを生成して、ＩＰ通信により画像データを送信しているが、送信キー７６が操作されると、画像データを記憶部１９から読み出して、ＩＰ通信によりその画像データを送信するようにしてもよい。
【００７２】
また、画像データに限らず、テキストデータ、図表などを記憶部１９に予め記憶しておき、送信キー７６が操作されると、テキストデータ、図表などを記憶部１９から読み出して、ＩＰ通信によりそのテキストデータ、図表などを送信するようにしても構わない。
【符号の説明】
【００７３】
１０    画像形成装置
１２    表示部
１４    操作部
１５    タッチパネル
１６    通信部
１９    記憶部
１１    制御ユニット
２１    制御部
２２    操作受付部
２３    表示制御部
２４    通信制御部
３０    情報処理装置
３１    制御ユニット
３２    表示部
３３    操作部
３４    記憶部
３５    通信部
４１    制御部
４２    操作受付部
４３    表示制御部
４４    通信制御部
【図１】
2018139370.tif 000003
【図２】
2018139370.tif 000004
【図３】
2018139370.tif 000005
【図４】
2018139370.tif 000006
【図５】
2018139370.tif 000007
【図６】
2018139370.tif 000008
【図７】
2018139370.tif 000009
【図８】
2018139370.tif 000010
【図９】
2018139370.tif 000011